(57)【要約】購入予定の買い手が物品あるいはサービスを購入するため売り手のウェブサイトをブラウズすることを可能にするための買い手、売り手及び第三者のコンピュータシステムが、関連する方法と共に開示される。本発明の一特徴によると、買い手のコンピュータシステムは、売り手による買い手の購入の特定を可能にする購入情報を売り手のウェブサイトから自動抽出する。本発明のさらなる特徴によると、買い手のコンピュータシステムは、買い手の制御の下、買い手の購入に対して第三者が売り手への支払いを指示されたという確認を売り手に送信する。本発明のさらなる特徴によると、第三者のコンピュータシステムは、物品またはサービスに対して売り手への支払い指示を買い手から受信したという確認を売り手に送信する。【特許請求の範囲】
【請求項１】
購入対象の物品またはサービスを選択するため、買い手による売り手のウェブサイトのブラウズを可能にするブラウザをサポートするステップと、
前記売り手のウェブサイトから前記売り手による前記買い手の購入の特定を可能にする購入情報を自動抽出するステップと、
前記買い手の制御の下、前記購入情報を有する前記買い手の購入に対する第三者への前記売り手への支払いの指示を送信するステップとを実行するよう構成されるコンピュータシステム。
【請求項２】
請求項１記載のコンピュータシステムであって、前記購入情報は購入価格及び/または売り手の購入リファレンスを有することを特徴とするコンピュータシステム。
【請求項３】
請求項１または２記載のコンピュータシステムであって、前記購入情報はさらに、前記第三者が支払いを有効にするため必要とする前記売り手の銀行情報を有することを特徴とするコンピュータシステム。
【請求項４】
請求項１乃至３何れか一項記載のコンピュータシステムであって、前記購入情報は前記売り手のウェブサイト上でタグ付けされていることを特徴とするコンピュータシステム。
【請求項５】
請求項１乃至４何れか一項記載のコンピュータシステムであって、前記売り手のウェブサイトからの購入情報の自動抽出ステップと、前記指示の前記第三者への送信ステップは、前記売り手により提供されないプログラムコードにより実行されることを特徴とするコンピュータシステム。
【請求項６】
請求項４記載のコンピュータシステムであって、前記売り手のウェブサイトからの購入上の自動抽出ステップと、前記指示の前記第三者への送信ステップは、前記第三者により提供されるプログラムコードにより実行されることを特徴とするコンピュータシステム。
【請求項７】
請求項１乃至６記載のコンピュータシステムであって、前記第三者は前記買い手が口座を有する銀行であることを特徴とするコンピュータシステム。
【請求項８】
購入対象の物品またはサービスを選択するため、買い手による売り手のウェブサイトのブラウズを可能にする前記売り手のウェブサイトを運営するステップを実行するよう構成されるコンピュータシステムであって、前記売り手による前記買い手の購入の特定を可能にする購入情報が、前記買い手のブラウザによる前記購入情報の自動抽出を容易にするため、前記売り手のウェブサイト上でタグ付けされていることを特徴とするコンピュータシステム。
【請求項９】
請求項８記載のコンピュータシステムであって、前記購入情報は購入価格及び/または売り手の購入リファレンスを有することを特徴とするコンピュータシステム。
【請求項１０】
請求項８または９記載のコンピュータシステムであって、前記購入情報はさらに、前記第三者が支払いを有効にするため必要とする前記売り手の銀行情報を有することを特徴とするコンピュータシステム。
【請求項１１】
購入対象の物品またはサービスを選択するため、買い手による売り手のウェブサイトのブラウズを可能にするブラウザをサポートするステップと、
前記売り手のウェブサイトから前記売り手による前記買い手の購入の特定を可能にする購入情報を抽出するステップと、
前記買い手の制御の下、前記購入情報を有する前記買い手の購入に対する第三者への前記売り手への支払いの指示を送信するステップと、
前記買い手の制御の下、前記第三者が指示されたという確認を前記売り手に送信するステップとを実行するよう構成されるコンピュータシステム。
【請求項１２】
請求項１１記載のコンピュータシステムであって、前記第三者への指示と前記第三者が指示されたという前記売り手への確認は、前記買い手による単一の動作の結果として送信されることを特徴とするコンピュータシステム。
【請求項１３】
購入対象の物品またはサービスを選択するため、買い手による売り手のウェブサイトのブラウズを可能にする前記売り手のウェブサイトを運営するステップと、
前記買い手の購入に対して第三者が前記売り手への支払いの指示をされたかという確認を前記買い手から受信すると、前記購入に関する動作を促すステップとを実行するよう構成されるコンピュータシステム。
【請求項１４】
請求項１３記載のコンピュータシステムであって、前記買い手からの確認の受信に応答して促される動作は、購入のため選択された前記物品またはサービスを前記買い手のため予約することであることを特徴とするコンピュータシステム。
【請求項１５】
物品またはサービス情報に対して売り手への支払い指示の買い手からの受信に応答して、
前記指示の受信の確認を前記売り手に送信するステップと、
前記売り手による前記買い手の選択の特定を可能にする前記指示に含まれる購入情報に従って、前記売り手に対する支払いを行うか、あるいは支払いを指示するステップとを実行するよう構成されることを特徴とするコンピュータシステム。
【請求項１６】
請求項１５記載のコンピュータシステムであって、前記指示の受信の確認を送信するステップは、前記買い手または前記第三者と前記売り手との間の契約を構成することを特徴とするコンピュータシステム。
【請求項１７】
購入対象の物品またはサービスを選択するため、買い手による売り手のウェブサイトのブラウズを可能にする前記売り手のウェブサイトを運営するステップと、
前記買い手の購入に対して第三者が前記売り手への支払いの指示を前記買い手から受信したという確認を前記第三者から受信すると、前記購入に関する動作を促すステップとを実行するよう構成されるコンピュータシステム。
【請求項１８】
請求項１７記載のコンピュータシステムであって、前記買い手からの確認の受信に応答して促される動作は、購入のため選択された前記物品またはサービスを前記買い手のため予約することであることを特徴とするコンピュータシステム。
【請求項１９】
購入対象の物品またはサービスを選択するため、買い手による売り手のウェブサイトのブラウズを可能にする方法であって、
買い手による購入のための物品またはサービスのブラウズ及び選択を可能にする、前記買い手のコンピュータシステムと売り手のウェブサイトのホストのコンピュータシステムとの間のセッションを開始するステップと、
前記買い手のコンピュータシステムにおいて、前記売り手による前記買い手の購入の特定を可能にする購入情報を前記売り手のウェブサイトから抽出するステップと、
前記買い手のコンピュータシステムにおいて、前記買い手の制御の下、前記購入情報を含む前記買い手の購入に対する第三者のコンピュータシステムによる前記売り手への支払い指示を送信するステップと、
前記第三者のコンピュータシステムにおいて、前記購入情報に従って、（ｉ）前記売り手または前記売り手の銀行への支払いまたは将来の支払いを有効するステップ、あるいは（ｉｉ）前記売り手または前記売り手の銀行への支払いを契約するステップの何れかのステップと、
前記買い手と売り手のコンピュータシステム間のセッションを終了するステップとを有することを特徴とする方法。
【請求項２０】
請求項１９記載の方法であって、前記購入情報は購入価格及び/または売り手の購入リファレンスを有することを特徴とする方法。
【請求項２１】
請求項１９または２０記載の方法であって、前記購入情報はさらに、前記第三者が支払いを有効にするため必要とする前記売り手の銀行情報を有することを特徴とする方法。
【請求項２２】
請求項１９乃至２１何れか一項記載の方法であって、前記購入情報は前記売り手のウェブサイト上でタグ付けされていることを特徴とする方法。
【請求項２３】
請求項１９乃至２２何れか一項記載の方法であって、前記売り手のウェブサイトからの購入情報の抽出ステップは、前記売り手により提供されないプログラムコードによる前記第三者への指示の送信に従い自動化及び実行されることを特徴とする方法。
【請求項２４】
請求項２３記載の方法であって、前記プログラムコードは前記第三者により提供されることを特徴とする方法。
【請求項２５】
請求項１９乃至２４何れか一項記載の方法であって、前記第三者は前記買い手が口座を有する銀行であることを特徴とする方法。
【請求項２６】
請求項１９乃至２５何れか一項記載の方法であって、さらに、
前記買い手のコンピュータシステムにおいて、前記買い手の制御の下、前記第三者が指示されたという確認を前記売り手に送信するステップを有することを特徴とする方法。
【請求項２７】
請求項２６記載の方法であって、前記第三者への指示と、前記第三者が指示されたという前記売り手への確認は、前記買い手による単一の動作の結果として送信されることを特徴とする方法。
【請求項２８】
請求項２６または２７記載の方法であって、さらに、
前記買い手の購入に対する前記第三者による前記売り手への支払いが指示されたという確認を前記買い手から受信すると、前記購入に関する動作を前記売り手が促すステップを有することを特徴とする方法。
【請求項２９】
請求項２８記載の方法であって、前記促された動作は、購入のため選択された物品またはサービスを前記買い手のため予約することであることを特徴とする方法。
【請求項３０】
請求項１９乃至２５何れか一項記載の方法であって、さらに、
前記第三者のコンピュータシステムにおいて、前記指示の受信の確認を前記売り手に送信するステップを有することを特徴とする方法。
【請求項３１】
請求項３０記載の方法であって、前記指示の受信の確認を送信するステップは、前記買い手または前記第三者と前記売り手との間の契約を構成することを特徴とする方法。
【請求項３２】
請求項３０または３１記載の方法であって、さらに、
前記買い手の購入に対する前記売り手への支払い指示を前記買い手から前記第三者が受信したという確認を前記第三者から受信すると、前記購入に関する動作を前記売り手が促すステップを有することを特徴とする方法。
【請求項３３】
請求項３２記載の方法であって、前記促された動作は、購入のため選択された物品またはサービスを前記買い手のため予約することを特徴とする方法。
【発明の詳細な説明】
【発明の詳細な説明】
【０００１】
本発明は、購入見込みのある買い手による物品またはサービスを購入するための売り手のウェブサイトのブラウジングを可能にするコンピュータシステム及び関連方法に関する。
【０００２】
米国特許出願ＵＳ２００１/００３４７２４Ａ１（以下‘７２４）では、買い手の金融機関が、買い手と売り手の間の仲介者として機能する取引仲介業者から取引の購入日付の受信を可能にする安全な金融取引を容易にするシステム及び関連する方法が開示されている。具体的には、動作Ａ（図１を参照しながら段落００１３及び００１４を参照せよ）において、売り手のウェブサイトを以前にブラウズしたことのある買い手が、取引仲介業者に売り手の名前あるいはウェブサイト、及び選択された商品あるいはそのような商品が見つからなかった場合に所望される商品の概略を提供する。その後、当該金融機関は、買い手から取引の支払い要求を受信し、当該買い手のため取引を処理する。
【０００３】
本発明の第１の特徴によると、購入対象の物品またはサービスを選択するため、買い手による売り手のウェブサイトのブラウズを可能にするブラウザをサポートするステップと、
前記売り手のウェブサイトから前記売り手による前記買い手の購入の特定を可能にする、購入価格及び/または売り手の購入リファレンスのような購入情報を自動抽出するステップと、前記買い手の制御の下、前記購入情報を有する前記買い手の購入に対する、前記買い手が口座を有する銀行のような第三者への、前記購入情報を含む前記売り手への支払いの指示を送信するステップとを実行するよう構成されるコンピュータシステムが提供される。
【０００４】
前記購入情報は、前記売り手が前記第三者に既知である場合には不要であるかもしれないが、さらに、前記第三者が支払いを実効するのに必要な前記売り手の銀行情報を有するようにしてもよい。
【０００５】
前記売り手のウェブサイトからの抽出を容易にするため、前記購入情報は前記売り手のウェブサイト上でタグ付けされていてもよい。
【０００６】
また、前記購入情報の自動抽出と前記第三者への前記指示の送信は、前記売り手により提供されないプログラムコード、例えば、前記信頼できる第三者により提供されるプログラムコードにより行われてもよい。
【０００７】
また、本発明の第１の特徴によると、購入対象の物品またはサービスを選択するため、買い手による売り手のウェブサイトのブラウズを可能にする前記売り手のウェブサイトを運営するステップを実行するよう構成されるコンピュータシステムであって、前記売り手による前記買い手の購入の特定を可能にする購入情報が、前記買い手のブラウザによる前記購入情報の自動抽出を容易にするため、前記売り手のウェブサイト上でタグ付けされていることを特徴とするコンピュータシステムが提供される。
【０００８】
本発明の第２の特徴によると、購入対象の物品またはサービスを選択するため、買い手による売り手のウェブサイトのブラウズを可能にするブラウザをサポートするステップと、
前記売り手のウェブサイトから前記売り手による前記買い手の購入の特定を可能にする購入情報を抽出するステップと、前記買い手の制御の下及び理想的には前記買い手による単一の動作の結果として、前記購入情報を有する前記買い手の購入に対する第三者への前記売り手への支払いの指示と、前記第三者が指示されたという確認を前記売り手に送信するステップとを実行するよう構成されるコンピュータシステムが提供される。
【０００９】
また、本発明の第２の特徴によると、購入対象の物品またはサービスを選択するため、買い手による売り手のウェブサイトのブラウズを可能にする前記売り手のウェブサイトを運営するステップと、前記買い手の購入に対して第三者が前記売り手への支払いの指示をされたかという確認を前記買い手から受信すると、選択された物品またはサービスを前記買い手のために予約するというような、前記購入に関する動作を促すステップとを実行するよう構成されるコンピュータシステムが提供される。
【００１０】
本発明の第３の特徴によると、物品またはサービス情報に対して売り手への支払い指示の買い手からの受信に応答して、前記買い手または第三者と前記売り手との間の契約から構成されるかもしれない、前記指示の受信の確認を前記売り手に送信するステップと、前記売り手による前記買い手の選択の特定を可能にする前記指示に含まれる購入情報に従って、前記売り手に対する支払いを行うか、あるいは支払いを指示するステップとを実行するよう構成されることを特徴とするコンピュータシステムが提供される。
【００１１】
また、本発明の第３の特徴によると、購入対象の物品またはサービスを選択するため、買い手による売り手のウェブサイトのブラウズを可能にする前記売り手のウェブサイトを運営するステップと、前記買い手の購入に対して第三者が前記売り手への支払いの指示を前記買い手から受信したという確認を前記第三者から受信すると、選択された物品またはサービスを前記買い手のために予約するというような、前記購入に関する動作を促すステップとを実行するよう構成されるコンピュータシステムが提供される。
【００１２】
本発明の第４の特徴によると、購入対象の物品またはサービスを選択するため、買い手による売り手のウェブサイトのブラウズを可能にする方法が提供される。順番に、本方法は、買い手による購入のための物品またはサービスのブラウズ及び選択を可能にする、前記買い手のコンピュータシステムと売り手のウェブサイトのホストのコンピュータシステムとの間のセッションを開始するステップと、前記買い手のコンピュータシステムにおいて、前記売り手による前記買い手の購入の特定を可能にする購入情報を前記売り手のウェブサイトから抽出するステップと、前記買い手のコンピュータシステムにおいて、前記買い手の制御の下、前記購入情報を含む前記買い手の購入に対する第三者のコンピュータシステムによる前記売り手への支払い指示を送信するステップと、前記第三者のコンピュータシステムにおいて、前記購入情報に従って、（ｉ）前記売り手または前記売り手の銀行への支払いまたは将来の支払いを有効するステップ、あるいは（ｉｉ）前記売り手または前記売り手の銀行への支払いを契約するステップの何れかのステップと、前記買い手と売り手のコンピュータシステム間のセッションを終了するステップとを有する。そのような方法は、さらに、請求項２０乃至３３に請求されるように特徴付けされてもよい。
【００１３】
本発明は、添付された図面を参照しながら実施例により説明される。
【００１４】
インターネットに接続された買い手、買い手の銀行、売り手及び売り手の銀行のそれぞれのコンピュータシステムが図１に示される。買い手のコンピュータシステムを利用して、物品またはサービスの購入のため、売り手のコンピュータに備えられた売り手のウェブサイトにブラウズすることが可能である。図２は、以下のような図１のコンピュータシステム間のやりとりを示す信号シーケンス図である。
[ステップ（１）購入]
買い手のコンピュータシステムを利用して、買い手は売り手のウェブサイトをブラウズし、購入する物品を選択する。本発明のベストモードを説明するため、以下では、買い手が共同発明者の１人であり、売り手が実際には存在しないフィリップスオンラインスタッフショップ、売り手の銀行が同じように実際には存在しないイーストグリンステッド銀行である架空のシナリオが利用される。
【００１５】
買い手は銀行により提供されるプログラムコードにより変更されたブラウザを利用する。図３に示されるように、ブラウザは、
・ウィンドウコントロールの最小化、最大化及びクローズを含むタイトルバー
・「戻る」、「進む」、「中止」、「更新」及び「ホーム」のコマンドを備えるツールバー
・現在アクセスされているウェブサイトのＵＲＬが表示されるアドレスバー
・フィリップスオンラインスタッフショップにアクセスされているブラウザウィンドウと、特に買い手が購入のため２つのフィリップス製品を置いた買い手の仮想買い物バスケット
を備えた従来のブラウザ要素を有する。
【００１６】
さらに、本発明の実現のため、ブラウザは、
・買い手の銀行により提供され、当該ブラウザと協調して（しばしば「プラグイン」と呼ばれる）、その動作が買い手のブラウザにより売り手のウェブサイトからダウンロードされた情報及びプログラムコード（Ｊａｖａ（登録商標）アプレットのような）から独立した信頼されたプログラムコードとのインタフェースを買い手に提供する「セーフペイ（ＳａｆｅＰａｙ）」と名付けられた第２ウィンドウ。このセーフペイウィンドウインタフェースと信頼されたプログラムコードは、以下に詳述されるように、買い手がそれの銀行に売り手への支払いを行うことを指示することを可能にする。
・セーフペイウィンドウの表示を切り替えるタイトルバー上の追加的な「セーフペイ」コントロール
を含む新規な要素を有する。
[ステップ（２）購入情報]
購入する商品と発想方法を選択し、発送先を入力すると、買い手は当該商品の支払いを行わねばならない。ブラウザウィンドウにおいて、買い手は、従来のインターネットベースのクレジットカードによる支払いと、銀行口座間の直接の振り替えとしての銀行口座自動引き落としの何れかの選択をするよう示される。銀行自動引き落としタブを選択すると、買い手には、そのようにタグ付けされ、買い手が売り手に支払うことを要求し、売り手がこの支払いを書いての購入と関連付けることを要求する購入情報が示される。この購入情報は、売り手の名称「フィリップススタッフショップ」、整理コード「１２−３４−５６」、売り手の銀行の口座番号「８７６５４３２１」、売り手の送り状番号及び売り手の電子メールアドレスを含む。
[ステップ（３）支払い指示]
前述のように、セーフペイウィンドウは、買い手がそれの銀行に売り手への支払いを行うよう指示することを可能にする信頼されたプログラムコードへのインタフェースを買い手に提供する。購入情報を転送するため、売り手はセーフペイウィンドウ上の「取得」ボタンをクリックする。これにより、信頼されたプログラムコードがタグ付けされた購入情報のためブラウザウィンドウを走査し、このタグ付けされた購入情報をセーフペイウィンドウに自動的にコピーする。買い手はまた、自身の口座からの引き落としを特定するため、自らのステートメントリファレンスを挿入する。
【００１７】
購入を続けるため、買い手は、セーフペイウィンドウに以前にコピーされたタグ付けされた購入情報を含むメッセージを生成し、当該メッセージを売り手の銀行に送信させる「支払い」ボタンをクリックする。
［ステップ（４）支払い指示の送信確認］
買い手の銀行への売り手への支払い指示の後、買い手は銀行に対して売り手への支払い指示が送信済みであるという確認を売り手に送信する。これは、ユーザがブラウザウィンドウ上の「支払い指示」ボタンを手動によりクリックすることにより、あるいはタグ付けされたボタンとブラウザが上記のように構成されている場合、ブラウザウィンドウの「支払い指示」ボタンのクリックを自動的に行うように「支払い」ボタンのクリックを調整することにより実行することができる。
［ステップ（５）承認と、ステップ（６）買い手への支払い指示の受信の確認］
支払い指示を受信すると、買い手の銀行は、例えば、買い手が真に送り手であるということを保証するデジタル署名を分析し、買い手の口座に十分な資金の利用が可能であるかチェックすることにより、買い手の要求を承認する。支払い指示が受信及び任意的に承認されたという確認が買い手に送信される。
［ステップ（７）商品予約］
買い手がそれの銀行に売り手への支払い指示を行ったという確認を受信すると、売り手は当該買い手の商品を予約する。
［ステップ（８）買い手への支払い指示の受信の確認］
銀行口座間の振り替えを行う前に、買い手の銀行は、買い手が買い手の銀行に売り手への支払いを指示したことを売り手に確認してもよい。この確認は、買い手及び/または売り手への支払いを行う買い手の銀行の契約上の義務としてもよい。この確認には、売り手が買い手の購入に対する確認を要求する購入情報が含まれている。ステップ（７）において、売り手は、買い手が買い手の銀行に売り手への支払いを指示したという買い手の銀行からの確認後にのみ買い手の商品を予約するが、あるいはそのような予約は買い手の銀行が、買い手が買い手の銀行に売り手への支払いを指示したということを売り手に確認した後にのみなされてもよい。
［ステップ（９）銀行口座振り替え］
購入情報を利用して、買い手の銀行は売り手の銀行へ代金を振り替え、これに伴う支払いが売り手の銀行から売り手に転送される購入情報となり、売り手がこの支払いを買い手の購入と関連付けることを可能にする。他の支払方法として、銀行間における代金の貸借が取り決めされ、売り手の銀行が近い将来のある時点において確実に代金を受け取ることができるという方法も考えられる。
［ステップ（１０）ステートメント］
売り手の銀行は銀行口座の振り替え（あるいはその取り決め）が完了したことを買い手の銀行から売り手に通知する。
［ステップ（１１）商品発送と、ステップ（１３）］
売り手の口座に買い手による入金があったということを売り手の銀行から受信すると、売り手は支払いが受け取られたと買い手に確認し、商品を買い手に発送する。
［ステップ（１２）］
買い手は、売り手にセッションの完了と、買い手のブラウザが売り手のホームページに移すことを通知することにより、あるいは売り手がブラウズされる他のウェブサイトを選択する一方的な終了の何れかにより、売り手のウェブサイトのログ処理によりセッションを終了する。
【００１８】
上記実施例では、売り手のウェブサイトは売り手のコンピュータシステム上にあるが、第三者が売り手のウェブサイトを運営していてもよいということは明らかであろう。同様に、買い手と売り手の銀行のコンピュータシステムは、第三者により所有及び運営されていてもよく、特にこのような第三者は複数の銀行のため運営を行うものであってもよい。
【００１９】
また、ブラウザから抽出するタグ付きデータは、ウェブ上の構造化文書及びデータのための汎用フォーマットである従来のＸＭＬ（Ｅｘｔｅｎｓｉｂｌｅ  Ｍａｒｋ−ｕｐ  Ｌａｎｇｕａｇｅ）などを利用することにより容易に取得可能である。あるいは、専用のタグ付けプロトコルが構成及び採用可能である。
【００２０】
ソースでのタグ付けを表現する他の方法として、買い手が売り手への支払いを行うのに必要であり、買い手の購入と支払いを一致させるのに売り手により必要とされる売り手のウェブサイト上の情報に隣接する１以上のアイコンを配置することにより、売り手のウェブサイト上の情報がグラフィカルにタグ付け可能となる。この場合、情報の抽出はそのようなグラフィカルなタグの走査を必要とするであろう。
【００２１】
上記実施例では、買い手が従来のインターネットベースのクレジットカード決済と、「セーフペイ」を利用した自動引き落としとを選ぶことができたが、クレジットカードでの支払いは、本発明による方法に従って、第三者が銀行の代わりにあるいは銀行と共にクレジットカード会社であり、買い手により所持されるものがクレジットカード口座である方法に利用することも可能である。
【００２２】
本発明は、インターネットを介し接続されたコンピュータシステムに関して説明されたが、本発明はＷＡＮ、ＬＡＮや他のタイプのネットワークに同様に適用可能であるということが理解されるであろう。
【００２３】
当業者には、本開示から他の変更が明らかであろう。そのような変更は、コンピュータシステム及びその構成要素の設計及び利用において既知であり、前述の特徴の代わりに、あるいはそれに加えて利用可能な他の特徴に関するものであるかもしれない。特定の特徴の組み合わせに関して本出願ではクレームが構成されているが、本出願の開示の範囲はまた、明示的または暗黙にここで開示された任意の新規な特徴、あるいは任意の新規な特徴の組み合わせ、あるいは当業者には自明な１以上の特徴の任意な一般化を、それが何れかのクレームにおいて現在主張されるものと同一の発明に関するものであるか、また本発明と同一の技術上の問題点の何れかあるいはすべてを軽減するものであるかどうかにかかわらず、含むものであるということは理解されるであろう。出願者は、本出願またはそれから派生するさらなる任意の出願の審査中において、そのような特徴及び/またはそれらの組み合わせに対する新しいクレームが構成されるかもしれないということを予告しておく。
【図面の簡単な説明】
【００２４】
【図１】図１は、各自がインターネットに接続された買い手、買い手の銀行、売り手及び売り手の銀行のコンピュータシステムを示す。
【図２】図２は、図１のコンピュータシステム間のやりとりを示すメッセージシーケンス図である。
【図３】図３は、図１の買い手のコンピュータシステムの画面レイアウトを示す。
【図１】
2005521129.tif 000002
【図２】
2005521129.tif 000003
【図３】
2005521129.tif 000004
【国際調査報告】
2005521129.tif 000005
2005521129.tif 000006
2005521129.tif 000007
2005521129.tif 000008